(57)【要約】装置内部温度センサー（１０３）が測定した回線収容装置（１００）内部の内部温度があらかじめ設定された第１の閾値以上である場合、モジュール温度センサー（１０４）が測定した回線モジュール（１０１−１，１０１−２）のモジュール温度が内部温度とあらかじめ設定された第２の閾値とを加算した温度よりも高い回線モジュールへの電源供給部（１０２）からの電源の供給を制御部（１０５）が遮断する。
2011013436.tif 000002
【特許請求の範囲】
【請求項１】
複数の回線を収容する回線収容装置であって、
前記複数の回線とそれぞれ接続された複数の回線モジュールと、
前記複数の回線モジュールそれぞれに電源を供給する電源供給部と、
当該回線収容装置の内部の温度である内部温度を測定する装置内部温度センサーと、
前記複数の回線モジュールのそれぞれの温度であるモジュール温度を測定するモジュール温度センサーと、
前記内部温度があらかじめ設定された第１の閾値以上である場合、前記内部温度とあらかじめ設定された第２の閾値とを加算した温度よりも高いモジュール温度である回線モジュールへの前記電源供給部からの電源の供給を遮断する制御部とを有する回線収容装置。
【請求項２】
請求項１に記載の回線収容装置において、
当該回線収容装置の外部の温度である外部温度を測定する装置外部温度センサーを有し、
前記制御部は、前記内部温度があらかじめ設定された第１の閾値以上であり、前記内部温度と前記第２の閾値とを加算した温度よりも高いモジュール温度である回線モジュールが存在せず、前記内部温度が前記外部温度とあらかじめ設定された第３の閾値とを加算した温度以下である場合、前記モジュール温度が最も高い回線モジュールへの前記電源供給部からの電源の供給を遮断することを特徴とする回線収容装置。
【請求項３】
請求項１に記載の回線収容装置において、
前記制御部は、前記内部温度が前記第１の閾値未満である場合、前記電源の供給が遮断されている回線モジュールへの電源を前記電源供給部から供給することを特徴とする回線収容装置。
【請求項４】
請求項１または請求項２に記載の回線収容装置において、
前記制御部は、前記電源供給部から前記回線モジュールへの電源の供給を遮断する際、該回線モジュールと接続されている回線を閉塞してから該電源の供給を遮断することを特徴とする回線収容装置。
【請求項５】
請求項１または請求項２に記載の回線収容装置において、
前記複数の回線モジュールは、互いに冗長構成であることを特徴とする回線収容装置。
【請求項６】
複数の回線とそれぞれ接続された複数の回線モジュールを具備する回線収容装置の内部の温度を制御する温度制御方法であって、
前記複数の回線モジュールそれぞれに電源を供給する処理と、
当該回線収容装置の内部の温度である内部温度を測定する処理と、
前記複数の回線モジュールのそれぞれの温度であるモジュール温度を測定する処理と、
前記内部温度があらかじめ設定された第１の閾値以上である場合、前記内部温度とあらかじめ設定された第２の閾値とを加算した温度よりも高いモジュール温度である回線モジュールへの電源の供給を遮断する処理とを行う温度制御方法。
【請求項７】
請求項６に記載の温度制御方法において、
当該回線収容装置の外部の温度である外部温度を測定する処理と、
前記内部温度があらかじめ設定された第１の閾値以上であり、前記内部温度と前記第２の閾値とを加算した温度よりも高いモジュール温度である回線モジュールが存在せず、前記内部温度が前記外部温度とあらかじめ設定された第３の閾値とを加算した温度以下である場合、前記モジュール温度が最も高い回線モジュールへの電源の供給を遮断する処理とを行うことを特徴とする温度制御方法。
【請求項８】
請求項６に記載の温度制御方法において、
前記内部温度が前記第１の閾値未満である場合、前記電源の供給が遮断されている回線モジュールへの電源を供給する処理を行うことを特徴とする温度制御方法。
【請求項９】
請求項６または請求項７に記載の温度制御方法において、
前記回線モジュールへの電源の供給を遮断する際、該回線モジュールと接続されている回線を閉塞してから該電源の供給を遮断する処理を行うことを特徴とする温度制御方法。
【発明の詳細な説明】
【技術分野】
【０００１】
本発明は、複数の回線を収容する回線収容装置およびその回線収容装置の内部の温度を制御する温度制御方法に関する。
【背景技術】
【０００２】
回線を収容する通信装置等の装置は、屋内に設置されるものだけではなく、必要に応じて屋外に設置されるものもある。【０００３】
通常、屋外では、屋内に比べて外気温が変化する温度範囲が広い。そのため、屋外の気温が高い場合、屋外に設置される装置の内部温度は、屋外の気温（装置の外部温度）が高いことに起因して装置内部の内部温度が必要以上に上昇してしまう場合がある。その場合、高温状態に対する内部デバイスの保護が必要となる。【０００４】
一般的に、動作しているデバイスの温度を下げるために、熱の放散によって温度を下げる「ヒートシンク」と呼ばれる放熱器が用いられることが多い。【０００５】
また、装置内の温度を監視し、装置内の温度が正常温度レベルよりも高くなった場合、装置全体への通電を遮断する技術が考えられている（例えば、特許文献１参照。）。
【先行技術文献】
【特許文献】
【０００６】
【特許文献１】特開２００８−２５６９１１号公報
【発明の概要】
【発明が解決しようとする課題】
【０００７】
しかしながら、ヒートシンクを用いて温度を下げるには限界がある。【０００８】
また、特許文献１に記載された技術においては、装置内の温度が所定の温度よりも高くなった場合、装置の全機能が停止し、当該装置が行う通信などを保持することができなくなってしまうという問題点がある。また、使用する閾値等のデータをネットワークを介して当該装置と接続された機器が保持しているため、温度に対する制御に遅延が生じてしまうという問題点がある。【０００９】
本発明の目的は、上述した課題を解決する回線収容装置および温度制御方法を提供することである。
【課題を解決するための手段】
【００１０】
本発明の回線収容装置は、
複数の回線を収容する回線収容装置であって、
前記複数の回線とそれぞれ接続された複数の回線モジュールと、
前記複数の回線モジュールそれぞれに電源を供給する電源供給部と、
当該回線収容装置の内部の温度である内部温度を測定する装置内部温度センサーと、
前記複数の回線モジュールのそれぞれの温度であるモジュール温度を測定するモジュール温度センサーと、
前記内部温度があらかじめ設定された第１の閾値以上である場合、前記内部温度とあらかじめ設定された第２の閾値とを加算した温度よりも高いモジュール温度である回線モジュールへの前記電源供給部からの電源の供給を遮断する制御部とを有する。【００１１】
また、本発明の温度制御方法は、
複数の回線とそれぞれ接続された複数の回線モジュールを具備する回線収容装置の内部の温度を制御する温度制御方法であって、
前記複数の回線モジュールそれぞれに電源を供給する処理と、
当該回線収容装置の内部の温度である内部温度を測定する処理と、
前記複数の回線モジュールのそれぞれの温度であるモジュール温度を測定する処理と、
前記内部温度があらかじめ設定された第１の閾値以上である場合、前記内部温度とあらかじめ設定された第２の閾値とを加算した温度よりも高いモジュール温度である回線モジュールへの電源の供給を遮断する処理とを行う。
【発明の効果】
【００１２】
以上説明したように、本発明においては、装置内部温度センサーが測定した装置内部の内部温度があらかじめ設定された第１の閾値以上である場合、モジュール温度センサーが測定した回線モジュールのモジュール温度が内部温度とあらかじめ設定された第２の閾値とを加算した温度よりも高い回線モジュールへの電源供給部からの電源の供給を制御部が遮断する構成としたため、装置の運用を続けながら、装置内部に設けられたデバイスを高温から保護することができる。
【図面の簡単な説明】
【００１３】
【図１】本発明の回線収容装置の実施の一形態を示す図である。
【図２】図１に示した制御部に記憶された温度の閾値データの一例を示す図である。
【図３】本発明の回線収容装置の実施の他の形態を示す図である。
【図４】図１に示した回線収容装置における温度制御方法を説明するためのフローチャートである。
【発明を実施するための形態】
【００１４】
以下に、本発明の実施の形態について図面を参照して説明する。
【００１５】
図１は、本発明の回線収容装置の実施の一形態を示す図である。
【００１６】
本形態における回線収容装置１００には図１に示すように、回線モジュール１０１−１，１０１−２と、電源供給部１０２と、装置内部温度センサー１０３と、モジュール温度センサー１０４と、制御部１０５と、装置外部温度センサー１０６とが設けられている。
【００１７】
回線モジュール１０１−１，１０１−２は、回線収容装置１００が収容する複数の回線とそれぞれ接続され、接続されている回線に対して所定の処理を行う。また、回線モジュール１０１−１，１０１−２は、電源供給部１０２から供給された電源で動作する。また、回線モジュール１０１−１と回線モジュール１０１−２とは、互いに冗長構成であり、どちらか一方が故障した場合であっても、回線収容装置１００としての運用は可能な構成となっている。なお、回線モジュールの数は、３以上であっても良い。
【００１８】
電源供給部１０２は、回線モジュール１０１−１，１０１−２へ電源を供給する。
【００１９】
装置内部温度センサー１０３は、回線収容装置１００の内部の温度である内部温度を測定する。
【００２０】
モジュール温度センサー１０４は、回線モジュール１０１−１，１０１−２のそれぞれの温度であるモジュール温度を測定する。
【００２１】
装置外部温度センサー１０６は、回線収容装置１００の外部の温度である外部温度を測定する。
【００２２】
制御部１０５は、装置内部温度センサー１０３、モジュール温度センサー１０４および装置外部温度センサー１０６が測定した温度に基づいて、電源供給部１０２からの回線モジュール１０１−１，１０１−２への電源の供給を制御する。
【００２３】
また、制御部１０５には、電源供給部１０２からの回線モジュール１０１−１，１０１−２への電源の供給を制御するための、温度の閾値データがあらかじめ記憶されている。
【００２４】
図２は、図１に示した制御部１０５に記憶された温度の閾値データの一例を示す図である。
【００２５】
図１に示した制御部１０５には図２に示すように、温度の閾値データが記憶されている。これは、あらかじめ設定されたものである。
【００２６】
例えば、図２に示すように、内部温度の閾値（第１の閾値）が３５℃であることが記憶されている。これは、装置内部温度センサー１０３が測定した内部温度に基づいて制御部１０５が所定の処理を行う場合、３５℃を閾値として処理を行うことを示している。また、モジュール温度と内部温度との差の閾値（第２の閾値）が１５℃であることが記憶されている。これは、モジュール温度センサー１０４が測定したモジュール温度と装置内部温度センサー１０３が測定した内部温度とに基づいて制御部１０５が所定の処理を行う場合、１５℃を閾値として処理を行うことを示している。また、内部温度と外部温度との差の閾値（第３の閾値）が１０℃であることが記憶されている。これは、装置内部温度センサー１０３が測定した内部温度と装置外部温度センサー１０６が測定した外部温度とに基づいて制御部１０５が所定の処理を行う場合、１０℃を閾値として処理を行うことを示している。
【００２７】
なお、制御部１０５が、図２に示した閾値を使用した処理の詳細については、後述する。
【００２８】
また、図１に示した形態では、モジュール温度センサー１０４が、回線モジュール１０１−１と回線モジュール１０１−２との双方のモジュール温度を測定するが、回線モジュール１０１−１と回線モジュール１０１−２とのそれぞれ別個に温度センサーが設けられているものであっても良い。
【００２９】
また、図１に示した形態では、電源供給部１０２が、回線モジュール１０１−１と回線モジュール１０１−２との双方へ電源を供給するが、回線モジュール１０１−１と回線モジュール１０１−２とのそれぞれ別個に電源供給部が設けられているものであっても良い。
【００３０】
図３は、本発明の回線収容装置の実施の他の形態を示す図である。
【００３１】
本形態における回線収容装置１１０には図３に示すように、図１に示したモジュール温度センサー１０４の代わりに、回線モジュール１０１−１，１０１−２それぞれにモジュール温度センサー１０４−１，１０４−２が設けられている。また、図１に示した電源供給部１０２の代わりに、回線モジュール１０１−１，１０１−２それぞれへ電源を供給する電源供給部１０２−１，１０２−２が設けられている。
【００３２】
以下に、本発明の温度制御方法について説明する。ここでは、図１に示した形態における温度制御方法を例に挙げて説明する。
【００３３】
図４は、図１に示した回線収容装置１００における温度制御方法を説明するためのフローチャートである。
【００３４】
まず、回線収容装置１００の内部温度が所定の閾値以上であるかどうかが、ステップ１にて制御部１０５によって判断される。具体的には、装置内部温度センサー１０３が測定した内部温度が制御部１０５に記憶された第１の閾値以上であるかどうかが、制御部１０５にて判断される。図２に示した閾値の例を用いると、装置内部温度センサー１０３が測定した内部温度が３５℃以上であるかどうかが判断される。
【００３５】
装置内部温度センサー１０３が測定した温度が制御部１０５に記憶された第１の閾値以上であると制御部１０５にて判断された場合、回線モジュール１０１−１のモジュール温度と内部温度との差が所定の閾値以下であるかどうかが、ステップ２にて制御部１０５によって判断される。具体的には、モジュール温度センサー１０４が測定した回線モジュール１０１−１のモジュール温度と装置内部温度センサー１０３が測定した内部温度との差が、制御部１０５に記憶された第２の閾値以下であるかどうかが、制御部１０５にて判断される。図２に示した閾値の例を用いると、モジュール温度センサー１０４が測定した回線モジュール１０１−１のモジュール温度と装置内部温度センサー１０３が測定した内部温度との差が１５℃以下であるかどうかが判断される。なお、一般的に、モジュール温度センサー１０４が測定した回線モジュール１０１−１のモジュール温度は、装置内部温度センサー１０３が測定した内部温度よりも高い。そのため、モジュール温度センサー１０４が測定した回線モジュール１０１−１のモジュール温度が、装置内部温度センサー１０３が測定した内部温度と第２の閾値とを加算した温度以下であるかどうかが判断されるものと同じである。
【００３６】
モジュール温度センサー１０４が測定した回線モジュール１０１−１のモジュール温度と装置内部温度センサー１０３が測定した内部温度との差が、制御部１０５に記憶された第２の閾値以下ではないと判断された場合、つまり、モジュール温度センサー１０４が測定した回線モジュール１０１−１のモジュール温度が、装置内部温度センサー１０３が測定した内部温度と第２の閾値とを加算した温度よりも高いと判断された場合、制御部１０５によって回線モジュール１０１−１と接続されている回線がステップ３にて閉塞される。この回線閉塞処理は、一般的な閉塞処理であれば良く、ここでは特に規定しない。
【００３７】
回線の閉塞が完了すると、ステップ４にて制御部１０５によって、電源供給部１０２から回線モジュール１０１−１への電源の供給が遮断される。
【００３８】
一方、ステップ２にて、モジュール温度センサー１０４が測定した回線モジュール１０１−１のモジュール温度と装置内部温度センサー１０３が測定した内部温度との差が、制御部１０５に記憶された第２の閾値以下であると判断された場合、つまり、モジュール温度センサー１０４が測定した回線モジュール１０１−１のモジュール温度が、装置内部温度センサー１０３が測定した内部温度と第２の閾値とを加算した温度以下であると判断された場合、回線モジュール１０１−２のモジュール温度と内部温度との差が所定の閾値以下であるかどうかが、ステップ５にて制御部１０５によって判断される。具体的には、モジュール温度センサー１０４が測定した回線モジュール１０１−２のモジュール温度と装置内部温度センサー１０３が測定した内部温度との差が、制御部１０５に記憶された第２の閾値以下であるかどうかが、制御部１０５にて判断される。図２に示した閾値の例を用いると、モジュール温度センサー１０４が測定した回線モジュール１０１−２のモジュール温度と装置内部温度センサー１０３が測定した内部温度との差が１５℃以下であるかどうかが判断される。なお、一般的に、モジュール温度センサー１０４が測定した回線モジュール１０１−２のモジュール温度は、装置内部温度センサー１０３が測定した内部温度よりも高い。そのため、モジュール温度センサー１０４が測定した回線モジュール１０１−２のモジュール温度が、装置内部温度センサー１０３が測定した内部温度と第２の閾値とを加算した温度以下であるかどうかが判断されるものと同じである。
【００３９】
モジュール温度センサー１０４が測定した回線モジュール１０１−２のモジュール温度と装置内部温度センサー１０３が測定した内部温度との差が、制御部１０５に記憶された第２の閾値以下ではないと判断された場合、つまり、モジュール温度センサー１０４が測定した回線モジュール１０１−２のモジュール温度が、装置内部温度センサー１０３が測定した内部温度と第２の閾値とを加算した温度よりも高いと判断された場合、制御部１０５によって回線モジュール１０１−２と接続されている回線がステップ６にて閉塞される。この回線閉塞処理は、一般的な閉塞処理であれば良く、ここでは特に規定しない。
【００４０】
回線の閉塞が完了すると、ステップ７にて制御部１０５によって、電源供給部１０２から回線モジュール１０１−２への電源の供給が遮断される。
【００４１】
また、ステップ５にて、モジュール温度センサー１０４が測定した回線モジュール１０１−２のモジュール温度と装置内部温度センサー１０３が測定した内部温度との差が、制御部１０５に記憶された第２の閾値以下であると判断された場合、つまり、モジュール温度センサー１０４が測定した回線モジュール１０１−２のモジュール温度が、装置内部温度センサー１０３が測定した内部温度と第２の閾値とを加算した温度以下であると判断された場合、内部温度と外部温度との差が所定の閾値以下であるかどうかが、ステップ８にて制御部１０５によって判断される。具体的には、装置内部温度センサー１０３が測定した内部温度と装置外部温度センサー１０６が測定した外部温度との差が、制御部１０５に記憶された第３の閾値以下であるかどうかが、制御部１０５にて判断される。図２に示した閾値の例を用いると、装置内部温度センサー１０３が測定した内部温度と装置外部温度センサー１０６が測定した外部温度との差が１０℃以下であるかどうかが判断される。なお、一般的に、装置内部温度センサー１０３が測定した内部温度は、装置外部温度センサー１０６が測定した外部温度よりも高い。そのため、装置内部温度センサー１０３が測定した内部温度が、装置外部温度センサー１０６が測定した外部温度と第３の閾値とを加算した温度以下であるかどうかが判断されるものと同じである。
【００４２】
装置内部温度センサー１０３が測定した内部温度と装置外部温度センサー１０６が測定した外部温度との差が、制御部１０５に記憶された第３の閾値以下であると判断された場合、つまり、装置内部温度センサー１０３が測定した内部温度が、装置外部温度センサー１０６が測定した外部温度と第３の閾値とを加算した温度以下であると判断された場合、回線モジュール１０１−１と回線モジュール１０１−２とでモジュール温度が高いほうの回線モジュールと接続されている回線が、ステップ９にて制御部１０５によって閉塞される。具体的には、モジュール温度センサー１０４にて測定された回線モジュール１０１−１のモジュール温度と回線モジュール１０１−２のモジュール温度とのどちらか高いほうの回線モジュールが制御部１０５によって選択され、選択された回線モジュールと接続されている回線が閉塞される。この回線閉塞処理は、一般的な閉塞処理であれば良く、ここでは特に規定しない。
【００４３】
回線の閉塞が完了すると、ステップ１０にて制御部１０５によって、回線が閉塞された回線モジュールへの電源供給部１０２からの電源の供給が遮断される。
【００４４】
一方、ステップ８にて、装置内部温度センサー１０３が測定した内部温度と装置外部温度センサー１０６が測定した外部温度との差が、制御部１０５に記憶された第３の閾値以下ではないと判断された場合、つまり、装置内部温度センサー１０３が測定した内部温度が、装置外部温度センサー１０６が測定した外部温度と第３の閾値とを加算した温度以下ではないと判断された場合、回線モジュール１０１−１と回線モジュール１０１−２とに接続されているそれぞれの回線が、ステップ１１にて制御部１０５によって閉塞される。この回線閉塞処理は、一般的な閉塞処理であれば良く、ここでは特に規定しない。
【００４５】
回線の閉塞が完了すると、ステップ１２にて制御部１０５によって、回線収容装置１００内の共通部分（不図示）への電源供給部１０２からの電源の供給が遮断される。
【００４６】
また、ステップ１にて、装置内部温度センサー１０３が測定した温度が制御部１０５に記憶された第１の閾値未満であると制御部１０５にて判断された場合、電源が遮断されている回線モジュールがあるかどうかが、ステップ１３にて制御部１０５によって判断される。これは、電源を遮断した際に電源を遮断した回線モジュールを記憶しておき、その記憶した情報から検索するものであっても良い。
【００４７】
電源が遮断されている回線モジュールがあると判断された場合、電源が遮断されている回線モジュールへの電源供給部１０２からの電源の供給が、ステップ１４にて制御部１０５によって行われる。これにより、一度電源が遮断された回線モジュールにも、内部温度が所定の温度以下になった場合に、再度電源が投入される。
【００４８】
なお、ステップ２〜４の処理と、ステップ５〜７の処理とは、どちらが先に行われても良い。つまり、回線モジュール１０１−１のモジュール温度の判断と、回線モジュール１０１−２のモジュール温度の判断との順序は規定しない。また、双方の処理を並行して行うものであっても良い。
【００４９】
以上説明したように、温度が必要以上に高いと判断された回線モジュールの電源を遮断することにより、当該回線モジュールの作動による発熱がおさまり、回線収容装置１００内の内部温度を下げることができる。これにより、高温による内部デバイスの損傷・故障を防ぐことができる。また、回線モジュールごとに電源を遮断するため、回線収容装置１００としての運用を停止する必要はない。つまり、想定以外の外気温となった場合にも運用を継続することができ、サービス面の向上と、特殊な温度範囲のデバイスを使用する必要がなくコスト的なメリットも期待できる。
【００５０】
なお、本発明は上述した構成に限定されるものではなく、通信システムに用いられる通信機器以外にも運用ラインを複数有し、独立で電源の遮断を行うことができる装置であれば同様の手段を適用することができる。
【００５１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００５２】
この出願は、２００９年７月３１日に出願された日本出願特願２００９−１７９３４１を基礎とする優先権を主張し、その開示の全てをここに取り込む。
【図１】
2011013436.tif 000003
【図２】
2011013436.tif 000004
【図３】
2011013436.tif 000005
【図４】
2011013436.tif 000006
【国際調査報告】
2011013436.tif 000007
2011013436.tif 000008